(57)【要約】【課題】  腰紐を結ばずにすっきりと着用できて着崩れしない、ファッション性の高い業務用エプロンの提供。【解決手段】  エプロン１は、エプロン本体部３の左側上部１８に設けられるボタンホール１１ａと、本体部３の中間上部２０に設けられるボタン１１ｂとからなる第一の係止部１１と、本体部３の右側上部１９に設けられるボタンホール１６ａと、本体部３の中間上部２０に設けられるボタン１６ｂとからなる第二の係止部１６とを備える。着用の際は、係止部１１と係止部１６を利用し、エプロン本体部３の左側上部１８と右側上部１９を、それぞれ本体部３の中間上部２０に係止させることにより着用する。【選択図】  図１
2008266805.tif 000002
【特許請求の範囲】
【請求項１】
腰から下に着用されるエプロンにおいて、
略四角形状の本体部と、
前記本体部の左側上部に設けられる第一の係止要素と、前記本体部の中間上部に設けられる第一の被係止要素とからなる第一の係止部と、
前記本体部の右側上部に設けられる第二の係止要素と、前記本体部の中間上部に設けられる第二の被係止要素とからなる第二の係止部と、を備えることを特徴とするエプロン。
【請求項２】
請求項１に記載するエプロンにおいて、前記本体部が、左側に帯状に突出する左側突出部と、右側に帯状に突出する右側突出部と、を備え、前記第一の係止要素が前記左側突出部に設けられ、前記第二の係止要素が前記右側突出部に設けられることを特徴とするエプロン。
【請求項３】
請求項２に記載するエプロンにおいて、前記左側突出部と前記右側突出部の長さが、着用時、着用者の前側付近に届く長さであることを特徴とするエプロン。
【請求項４】
請求項１乃至請求項３のいずれかに記載するエプロンにおいて、前記本体部の着用者の腰周りに当接する部分に滑り止め手段が設けられることを特徴とするエプロン。
【請求項５】
請求項１乃至請求項４のいずれかに記載するエプロンにおいて、前記第一の係止部と前記第二の係止部がそれぞれ、サイズ調節手段を備えることを特徴とするエプロン。
【発明の詳細な説明】
【技術分野】
【０００１】
本発明はエプロン、特に飲食業等のサービス業において使用される、前掛け型の業務用エプロンに関する。
【背景技術】
【０００２】
近年、飲食店を中心としたサービス業のユニフォームとして、そのファッション性の高さから、ギャルソンエプロン、ソムリエサロン等と称される、腰から下に着用する前掛け型のエプロンがよく採用されている。
【０００３】
このギャルソンエプロンは、従来、略四角形状の布製の本体部と、本体部から左右に延びる腰紐を備え、左右の腰紐を着用者の後ろ側から前側に一周させ、前側で結んで使用していた。
【０００４】
なお、出願人の知る限りにおいては、記載すべき先行技術文献情報は無い。
【発明の開示】
【発明が解決しようとする課題】
【０００５】
腰紐を結んで着用する従来のギャルソンエプロンでは、さまざまな体格の着用者が着用可能であるという利点を有する一方、着用者の前側で腰紐を結ぶため、上からベストやジャケットを着用した場合、ベストやジャケットが腰紐の結び目分盛り上がり、着用者のお腹が出ているかのように見えてせっかくのスリムなシルエットが損なわれるという問題がある。
【０００６】
また、腰紐は着用者の後ろ側から前側にかけて腰周りに一周させて前側で結ばれているが、飲食店等の従業員である着用者が、注文を受けるための伝票や、ハンディターミナルと一般に呼ばれる端末機をポケットに入れて作業をしていると、それらの重さでエプロン本体が下にずり落ち、腰紐とエプロン本体が相互にずれて着崩れが起きるため、見苦しくなるという問題もある。
【０００７】
また、エステサロン等で使用される場合には、仰臥等している顧客に施術中、垂れ下がった腰紐が顧客の顔や身体に当たる等の不都合もある。
【０００８】
本発明は、上述の問題点を解決すべくなされたものであって、腰紐を結ばずにすっきりと着用できて着崩れしない、ファッション性の高い業務用エプロンを提供することを目的とする。
【課題を解決するための手段】
【０００９】
本発明に係るエプロンは、腰から下に着用されるエプロンであって、略四角形状の本体部と、本体部の左側上部に設けられる第一の係止要素と、本体部の中間上部に設けられる第一の被係止要素とからなる第一の係止部と、本体部の右側上部に設けられる第二の係止要素と、本体部の中間上部に設けられる第二の被係止要素とからなる第二の係止部と、を備えることを特徴とする。
【００１０】
このようなエプロンは、腰紐を結ぶ代わりに、エプロン本体部に設けられる二つの係止部を使用し、エプロン本体部の左側上部と右側上部を本体部の中間上部に係止させて着用するため、紐の結び目ができず、結び目によりエプロンの上に着用するベスト等が盛り上がることなく、すっきりと着こなすことができる。また、ポケットに伝票やハンディターミナルを入れても、エプロンの各部が相互にずれることなく、着崩れが生じ難い。その上、結んだ腰紐が下に垂れることもないので、腰紐が顧客等に触れたり当たったりという虞がなくなる。
【００１１】
したがって、本発明に係るエプロンは、腰紐を結ぶことなくすっきりときれいに着用でき、着崩れしない。
【００１２】
このような構成のエプロンにおいては、本体部が、左側に帯状に突出する左側突出部と、右側に帯状に突出する右側突出部とを備え、第一の係止要素が左側突出部に設けられ、第二の係止要素が右側突出部に設けられることが望ましい。このような構成とすれば、エプロン本体部が各突出部を備えない略四角形状として腰周りに巻きつけ、エプロン本体部の左側上部と右側上部を中間上部に係止させる場合に比べ、着用者の足の後ろ側における打ち合わせ（重なる部分）が少なくなるため、足の動きを妨げず、スムーズに業務を遂行することができる。
【００１３】
左側突出部と右側突出部を設けて各突出部に第一、第二の係止部を配設させる場合には、左側突出部と右側突出部の長さは、それぞれ、着用時に着用者の前側付近まで届く長さであることが望ましい。この構成では、各係止部が操作し易く、着脱が容易となる。また、各突出部がそれより短い場合と比べ、腰周り部分において各突出部と本体部が重なり、相互に支持しあうエリアが大きくなるため、安定した着用感を得ることができる。
【００１４】
上述のように構成されるエプロンにおいて、エプロン本体部の着用者の腰周りに当接する部分に滑り止め手段を配設させれば、ポケットにハンディターミナル等を入れたとしても、滑り止め手段によりエプロン本体部が下にずり落ち難くなり、またエプロンの下に着用したシャツやブラウス等のトップスが外に出にくくなるため、長時間着崩れせず格好よく着こなすことができる。
【００１５】
また、第一の係止部と第二の係止部がそれぞれ、サイズ調節手段を備えることとすれば、腰紐を結んで着用する場合と同様に、着用者を選ばず、誰でもきれいに着用することができる。
【発明を実施するための最良の形態】
【００１６】
本発明の一実施形態を図面に基づき説明する。
【００１７】
図１は、本願発明の一実施形態であるエプロン１を着用者の身体に当接する側である裏側から見た図であり、図２はエプロン１を表側から見た図である。
【００１８】
エプロン１は、腰から下に着用する、ギャルソンエプロンと称される種類のエプロンであって、略四角形状の布製のエプロン本体部３と、本体部３の左側上部１８を本体部３の中間上部２０に係止させるための第一の係止部１１と、本体部３の右側上部１９を本体部３の中間上部２０に係止させるための第二の係止部１６とから構成される。
【００１９】
なお、本明細書における左右は、エプロン１を着用者の身体に当接する側である裏側から見た場合を基準にする左右をいう。
【００２０】
エプロン本体部３（以下、「本体部３」と略すことがある）は、ポリエステルツイル等の布製で、略四角形状に形成されている。本実施形態では、本体部３は、略四角形状の前掛部２１と前掛部２１の上縁に沿って取り付けられる帯状のベルト部１０から構成される。前掛部２１は、表側の右寄り位置に、伝票やハンディターミナル等を入れるためのポケット１４を備える。前掛部２１は、本実施形態では、上辺がやや下辺より長く、左右の中心線に対し線対称な台形形状としている。前掛部２１の上辺における左右の寸法は、約１００ｃｍであって、着用した場合に、前掛部２１の左側上部と右側上部が背中側で相互に一部重なる程度の寸法である。下辺における左右の寸法は約７８ｃｍ、上下寸法は約９０ｃｍとしている。ベルト部１０は、前掛部２１の上辺より長尺に形成され、前掛部２１の上縁に沿って、縫合により連結され、その左端側と右端側を前掛部２１から突出させるようにしている。
【００２１】
第一の係止部１１は、係止要素としてのボタンホール１１ａと、被係止要素としてのボタン１１ｂから構成される。ボタンホール１１ａは、エプロン本体部３の左側上部１８に形成されている。本実施形態では、エプロン本体部３におけるベルト部１０の、前掛部２１から左側に突出するように形成される左側突出部５上に、ボタンホール１１ａが、左端側から３つ横に並ぶように形成されている。着用時にボタンホール１１ａに嵌められるボタン１１ｂは、本体部３の中間上部２０の裏側、実施形態ではベルト部１０の裏側における、エプロン１の着用時、着用者の前側右寄りにあたる部分に縫い付けられている。本実施形態では、ボタン１１ｂは２個使用され、ボタンホール１１ａ相互の間隔と同間隔で横に並ぶように配設されている。２個のボタン１１ｂに対し、ボタンホール１１ａが３つ設けられて、着用者の腰回り寸法に合わせて嵌めるボタンホール１１ａを変えることで、サイズ調節が可能な構成である。
【００２２】
第二の係止部１６は、係止要素としてのボタンホール１６ａと、被係止要素としてのボタン１６ｂから構成される。ボタンホール１６ａは、エプロン本体部３の右側上部１９に配置されている。本実施形態では、ボタンホール１６ａは、ベルト部１０の、前掛部２１から右側に突出するように形成される右側突出部７上に、右端側から３つ横に並ぶように形成されている。着用時ボタンホール１６ａに嵌められるボタン１６ｂは、本体部３の中間上部２０の表側、実施形態ではベルト部１０の表側における、エプロン１の着用時、着用者の前側左寄りにあたる部分に縫い付けられている。本実施形態では、ボタン１６ｂは２個使用され、ボタンホール１６ａ相互の間隔と同間隔で横に並ぶように配設されている。２個のボタン１６ｂに対し、ボタンホール１６ａが３つ設けられて、第一の係止部１１と共にサイズ調節を可能としている。
【００２３】
左側突出部５と右側突出部７の長さは略同じに設定され、図例では約２５ｃｍである。この長さは、後述のように左側突出部５と右側突出部７を着用者の腰周りに沿わせて着用した場合に、着用者の前側付近に届く程度の長さである。すなわち、エプロン本体部３全体の上辺の長さ寸法は、約１５０ｃｍである。
【００２４】
エプロン本体部３の上縁部、実施形態ではベルト部１０の裏側における、ボタン１１ａとボタン１６ａの配置箇所の間の領域には、滑り止め手段としての滑り止めテープ９が左右方向に沿って縫い付けられている。滑り止めテープ９は、テープ状生地に滑り止め効果を有する弾性体からなる糸が織り込まれているものである。なお、図１における、エプロン本体部３の裏側において、滑り止めテープ９の下に取り付けられた部材２５は、エプロン１を使用しない時にフックに掛けるための吊り下げ用ループである。
【００２５】
エプロン１を着用するには、図３に示すように、ベルト部１０の滑り止めテープ９が配置されたあたりを腹部にあてた状態で、左側突出部５を背中側から右側前方へ回し、ベルト部１０の裏側（内側）における着用者の前側右寄りの位置に取り付けられた２個のボタン１１ｂを、着用者の腰回り寸法に合わせて、左側突出部５に設けられた３つのボタンホール１１ａのうち任意の隣接するボタンホール１１ａに嵌める。次に、図４に示すように、右側突出部７を背中側から左側前方へ回し、ベルト部１０の表側（外側）における着用者の前側左寄り位置に取り付けられた２個のボタン１６ｂを、第一係止部１１で行ったサイズ調節に合せて、右側突出部７の３つのボタンホール１６ａのうちの２つに嵌め込む。本実施形態では、第一係止部１１のボタン１１ｂはベルト部１０の裏側に取り付けられ、第二係止部１６のボタン１６ａは表側に取り付けられているが、各ボタンの取り付け位置はこれに限られるものではなく、表裏逆として、右側突出部７を先にエプロン本体部３の内側（裏側）に係止させ、次に左側突出部５を本体部３の外側（表側）に係止させて着用することとしてもよい。
【００２６】
本発明に係るエプロン１は、従来のように腰紐を結ぶ代わりに、エプロン本体部３の左側上部１８（左側突出部５）を、第一の係止要素としてのボタンホール１１ａと、第一の被係止要素としてのボタン１１ｂとからなる第一の係止部１１を利用してエプロン本体部３の中間上部２０に係止させ、本体部３の右側上部１９（右側突出部７）を、第二の係止要素としてのボタンホール１６ａと、第二の被係止要素としてのボタン１６ｂとからなる第二の係止部１６を利用して、本体部３の中間上部２０に係止させることで着用する構成である。このようなエプロン１では、腰紐を結んで着用する従来のエプロンのように紐の結び目ができず、結び目によりエプロンの上に着用するベスト等が盛り上がることなく、すっきりと着こなすことができる。また、腰紐を結ぶのではないため、ポケット１４に伝票やハンディターミナルを入れて作業をする際に、エプロン各部が相互にずれるような着崩れが生じ難い。その上、結んだ腰紐が下に垂れることもないので、腰紐が顧客等に触れたりする虞がなくなる。
【００２７】
したがって、本発明に係るエプロン１では、腰紐を結ばずとも、従来のギャルソンエプロンのファッション性を維持しつつ、着崩れの心配なくすっきりときれいに着こなすことができる。
【００２８】
本実施形態では、エプロン本体部３は、その左側と右側に帯状に突出する左側突出部５と右側突出部７とを備え、第一係止要素としてのボタンホール１１ａと第二係止要素としてのボタンホール１６ａが、それぞれ、その左側突出部５と右側突出部７に形成されている。この構成では、エプロン本体部３が各突出部５、７を備えない略四角形状として腰周りに巻きつけ、左側上部１８を中間上部２０に、右側上部１９を中間上部２０に係止させる場合に比べ、着用者の足の後ろ側における打ち合わせ（重なる部分）が少なくなるため、足の動きを妨げず、スムーズに作業が行える。
【００２９】
また、各突出部５，７の長さを、着用時に着用者の前側付近に届く長さとしているため、各突出部５，７に設けられた各係止部１１，１６が容易に操作でき、着脱が容易となる。また、各突出部５，７がそれより短い場合と比べ、腰周り部分において各突出部５，７と本体部３が重なり、相互に支持しあうエリアも大きくなるため、安定した着用感を得ることができる。そのような効果を考慮しないのであれば、左右の突出部５及び７の長さは必ずしも着用者の前側付近に届く長さに限られず、それより短く、または長く変更可能である。勿論、突出部５及び７の長さに応じて、第一と第二の被係止要素としてのボタン１１ｂ、１６ｂの配設箇所も適宜変更可能である。
【００３０】
また、エプロン１は、本体部３の裏側であって着用者の腰周りに当接する部分（実施形態ではベルト部１０の裏側）に、滑り止め手段としての滑り止めテープ９が縫い付けられている。これによれば、ポケット１４にハンディターミナル等を入れても、滑り止めテープ９によりエプロン本体部３がずり落ち難くなり、また、エプロン１の下に着用したシャツやブラウス等のトップスが外に出難くなるため、長時間着崩れせず格好よく着こなすことができる。滑り止め手段としては、本実施形態のように滑り止めテープ９を縫い付ける他、エプロン本体部３の腰周り裏側に滑り止め効果を有するゴムや樹脂等の弾性体を例えば線状、あるいは多数のドット状に、突状に配設させたり、その他の滑り止め効果を有する部材を配設させることで滑り止め手段としてもよい。
【００３１】
また、本実施形態では、各係止部１１と１６は、二個のボタン１１ｂ、１６ｂに対し、３つのボタンホール１１ａ、１６ａを備えて、サイズ調節可能に構成されるため、腰紐を結んで着用する場合と同様に、着用者を選ばず、さまざまな体格の着用者がきれいに着用することができる。
【００３２】
なお、本実施形態では二個のボタン１１ｂ、１６ｂに対し、３つのボタンホール１１ａ、１６ａが設けられているが、ボタンやボタンホールの数はこれに限られず、ボタンを１個、または３個以上とし、ボタンホールの数をボタンの数より多く配置すれば、サイズ調節が可能となる。ただし、ボタンは２個以上を２ｃｍ程度の間隔をおいて取り付ければ、エプロン本体部３の左側上部１８及び右側上部１９を、点でなく面で支持できることとなるため、より安定して着用することができ、好ましい。特に、エプロン本体部３の着丈が長い場合は、本体部３自体の荷重でエプロンがずり落ちる等、着用感を低下させる虞があるため、ボタンを２個以上使用することが望ましい。
【００３３】
実施形態のエプロン１では、第一の係止部１１および第二の係止部１６における係止要素と被係止要素は、ボタンホールとボタンから構成されているが、係止部は、エプロン本体部の左側上部と右側上部を、本体部の中間上部に係止させるものであれば、これらに限らない。例えば、係止要素と被係止要素として、金属製、樹脂製等のスナップボタン、ホック、あるいは面ファスナー等の適宜の係止部材を使用しても差し支えない。また、第一の係止部１１と第二の係止部１６は、相互に同じ種類の係止部材である必要はなく、例えば、本体部の左または右側上部をエプロンの内側で係止させる側の係止部をボタンとボタンホールとし、反対側の縁部をエプロンの外側で係止させる係止部を、突出部自体とそれを係止するバックルとして構成してもよい。なお、本明細書における係止要素と被係止要素は、相互に係止し合う要素を意味し、たとえば、ボタンを係止要素、ボタンホールを被係止要素として考えてもよい。
【００３４】
また、実施形態のエプロン１では、エプロン本体部３を、前掛部２１と前掛部２１の上縁に沿って取り付けられるベルト部１０から構成し、前掛部２１から突出する部分を、各係止要素１１ａ，１６ａを配設させる左右の突出部５，７としたが、左右の突出部５，７の構成はこれに限られない。例えば、前掛部２１の上縁にはベルト部を設けず、本体部３の左上縁と右上縁から直に突出部を設ける構成としてもよい。
【００３５】
また、実施形態のエプロン１は、上下方向の寸法が約９０ｃｍと、長いタイプのものであるが、これより丈の短いタイプのエプロンに本発明を適用することも勿論可能である。
【図面の簡単な説明】
【００３６】
【図１】本発明の実施形態であるエプロンを裏側から見た平面図である。
【図２】図１のエプロンを表側からみた平面図である。
【図３】図１のエプロンの着用方法を説明する図である。
【図４】図１のエプロンの着用方法を説明する図であって、図３の次の状態を示す。
【符号の説明】
【００３７】
１  ・・・    エプロン
３  ・・・  本体部
９・・・  滑り止め部材
１１  ・・・  第一の係止部
１１ａ  ・・・  第一の係止要素
１１ｂ  ・・・  第一の被係止要素
１６  ・・・  第二の係止部
１６ａ  ・・・  第二の係止要素
１６ｂ  ・・・  第二の被係止要素
１８  ・・・  左側上部
１９  ・・・  右側上部
２０  ・・・  中間上部
【図１】
2008266805.tif 000003
【図２】
2008266805.tif 000004
【図３】
2008266805.tif 000005
【図４】
2008266805.tif 000006